(57)【要約】【課題】  カートリッジに収納されたディスク媒体に対する記録／再生を行うディスク装置であって、カートリッジのシャッタを開閉させるための機構を簡略化することにより、装置の薄型化が図られたディスク装置の提供。【解決手段】  ディスクトレイ１２の底面側に、カートリッジのシャッタを開閉させるため係合突起部を有するアーム部材であって、その一端がディスクトレイ１２の後端部より突出するアーム部材１３を、係合突起部がシャッタ開閉方向に移動するようにガイドする長孔１２３に係合突起部を挿通させて取り付ける（これにより係合突起部はディスクトレイ１２の上面側に突出する）。これによって、ディスクトレイ１２が後退した際に、フレームの背面側壁面１１１にアーム部材１３の一端が当接し、その結果、係合突起部がシャッタを開閉させるように移動するように構成する。【選択図】  図５
2007087544.tif 000002
【特許請求の範囲】
【請求項１】
ディスク媒体の一部を露出させる窓部と当該窓部を開閉させるシャッタ部とを備えるカートリッジに収納されたディスク媒体からの信号の読み込み若しくは書き込み又は読み書きを行うディスク装置であって、当該ディスク装置の外枠を構成するフレームに対して摺動可能に設けられ前記カートリッジに収納されたディスク媒体を装置に搬入／搬出させるディスクトレイと、当該ディスクトレイに取り付けられるアーム部材であって前記シャッタ部を開閉させるために当該シャッタ部に形成された係合部と係合させる係合突起部を有するアーム部材と、を備え、前記係合突起部が、前記係合部と係合した状態で前記シャッタ部の閉位置から開位置まで移動できるようにガイドするガイド部材を前記アーム部材と前記ディスクトレイに形成し、前記係合突起部が前記シャッタ部の閉位置にある際に、前記アーム部材の一端が前記ディスクトレイの後端部より突出するように前記アーム部材を形成し、前記ディスクトレイが摺動することにより当該突出したアーム部材の一端と当接する当接部材を形成することにより、前記ディスクトレイの進退動作に応じて、前記アーム部材が動作し、前記係合突起部が、前記シャッタ部の閉位置と開位置の間を移動するように構成したことを特徴とするディスク装置。
【請求項２】
前記ディスクトレイに、前記係合突起部を遊嵌させるための長孔であって、当該係合突起部が、前記係合部と係合した状態で前記シャッタ部の閉位置から開位置まで移動できるようにするガイド穴となる長孔を形成することにより、前記係合突起部と前記長孔とによって前記ガイド部材を形成したことを特徴とする請求項１記載のディスク装置。
【請求項３】
前記アーム部材にガイド長孔を形成し、当該ガイド長孔に遊嵌させるアーム嵌合部材を前記ディスクトレイに形成し、前記係合突起部を前記シャッタ部の閉位置方向へと付勢させる弾性部材を備えさせ、前記当接部材を前記フレームの背面側壁面としたことを特徴とする請求項１又は請求項２に記載のディスク装置。
【請求項４】
前記アーム部材を、前記ディスクトレイの底面側に取り付けたことを特徴とする請求項１乃至請求項３の何れか１つに記載のディスク装置。
【発明の詳細な説明】
【技術分野】
【０００１】
本発明は、ディスク媒体から信号の読み込み若しくは書き込み又は読み書きを行うディスク装置（以下、単に記録／再生を行うディスク装置と称すこともある）に関し、特に、カートリッジタイプのディスク媒体に対する記録／再生を行うディスク装置に関する。
【背景技術】
【０００２】
ＣＤやＤＶＤに代表されるディスク媒体は、その取り扱いの容易さ等の理由により広く利用されており、これらのディスク媒体に対する記録／再生を行うディスク装置を利用した各種の電子装置（例えば、ＤＶＤ内蔵テレビやパソコンなど）も広く普及している。このようなディスク媒体には、カートリッジに収納されたタイプの物が存在し、当該カートリッジに収納されたディスク媒体に対する記録／再生を行うディスク装置が存在する。
【０００３】
このようなディスク装置における、カートリッジのシャッタ（ディスク媒体を露出させるためにカートリッジに設けられた“窓”を開閉する部材）の開閉機構に関する従来技術が特許文献１〜特許文献２などによって開示されている。
【０００４】
【特許文献１】特開２００１−２５６７０６号公報
【特許文献２】特開２００３−１６２８６１号公報
【発明の開示】
【発明が解決しようとする課題】
【０００５】
上記特許文献によって開示される従来技術は、シャッタの開閉機構の構成要素として、ディスク装置の上面を覆う天板にガイド溝を必要とするものであった。従って、天板にある程度の厚さが必要となるものであり、その分ディスク装置全体の厚さ（高さ）も増加するものであった。
【０００６】
本発明は、上述した点に鑑み、カートリッジに収納されたディスク媒体に対する記録／再生を行うディスク装置であって、カートリッジのシャッタを開閉させるための機構を簡略化することにより、薄型化が図られたディスク装置を提供することを目的とする。
【課題を解決するための手段】
【０００７】
請求項１のディスク装置は、ディスク媒体の一部を露出させる窓部と当該窓部を開閉させるシャッタ部とを備えるカートリッジに収納されたディスク媒体からの信号の読み込み若しくは書き込み又は読み書きを行うディスク装置であって、当該ディスク装置の外枠を構成するフレームに対して摺動可能に設けられ前記カートリッジに収納されたディスク媒体を装置に搬入／搬出させるディスクトレイと、当該ディスクトレイに取り付けられるアーム部材であって前記シャッタ部を開閉させるために当該シャッタ部に形成された係合部と係合させる係合突起部を有するアーム部材と、を備え、前記係合突起部が、前記係合部と係合した状態で前記シャッタ部の閉位置から開位置まで移動できるようにガイドするガイド部材を前記アーム部材と前記ディスクトレイに形成し、前記係合突起部が前記シャッタ部の閉位置にある際に、前記アーム部材の一端が前記ディスクトレイの後端部より突出するように前記アーム部材を形成し、前記ディスクトレイが摺動することにより当該突出したアーム部材の一端と当接する当接部材を形成することにより、前記ディスクトレイの進退動作に応じて、前記アーム部材が動作し、前記係合突起部が、前記シャッタ部の閉位置と開位置の間を移動するように構成したことを特徴とする。
【０００８】
上記構成によれば、ディスクトレイに取り付けられるアーム部材がディスクトレイの進退動作に応じて当接部材に当接し、当接部材とガイド部材によってアーム部材の移動方向が制限されることにより、アーム部材に形成される係合突起部が、カートリッジのシャッタ部の閉位置と開位置の間を移動する。
【０００９】
請求項２のディスク装置は、請求項１記載のディスク装置であって、前記ディスクトレイに、前記係合突起部を遊嵌させるための長孔であって、当該係合突起部が、前記係合部と係合した状態で前記シャッタ部の閉位置から開位置まで移動できるようにするガイド穴となる長孔を形成することにより、前記係合突起部と前記長孔とによって前記ガイド部材を形成したことを特徴とする。
【００１０】
上記構成によれば、カートリッジのシャッタ部に形成された係合部と係合する係合突起部と、当該係合突起部がシャッタ部の閉位置から開位置まで移動できるようにガイドするためにアーム部材に形成されるガイド部材と、が同一の部材となる。
【００１１】
請求項３のディスク装置は、請求項１又は請求項２に記載のディスク装置であって、前記アーム部材にガイド長孔を形成し、当該ガイド長孔に遊嵌させるアーム嵌合部材を前記ディスクトレイに形成し、前記係合突起部を前記シャッタ部の閉位置方向へと付勢させる弾性部材を備えさせ、前記当接部材を前記フレームの背面側壁面としたことを特徴とする。
【００１２】
上記構成によれば、ディスクトレイの進退動作に応じて、アーム部材がフレームの背面側壁面に当接し、ガイド長孔及びガイド部材によってアーム部材の移動方向が制限されることにより、アーム部材に形成される係合突起部が、カートリッジのシャッタ部の閉位置と開位置の間を移動する。
【００１３】
請求項４のディスク装置は、請求項１乃至請求項３の何れか１つに記載のディスク装置であって、前記アーム部材を、前記ディスクトレイの底面側に取り付けたことを特徴とする。
【００１４】
上記構成によれば、カートリッジのシャッタ部を開閉させるための機構であるアーム部材が、ディスクトレイの底面側に取り付けられる。
【発明の効果】
【００１５】
本発明の請求項１の、ディスク媒体の一部を露出させる窓部と当該窓部を開閉させるシャッタ部とを備えるカートリッジに収納されたディスク媒体からの信号の読み込み若しくは書き込み又は読み書きを行うディスク装置であって、当該ディスク装置の外枠を構成するフレームに対して摺動可能に設けられ前記カートリッジに収納されたディスク媒体を装置に搬入／搬出させるディスクトレイと、当該ディスクトレイに取り付けられるアーム部材であって前記シャッタ部を開閉させるために当該シャッタ部に形成された係合部と係合させる係合突起部を有するアーム部材と、を備え、前記係合突起部が、前記係合部と係合した状態で前記シャッタ部の閉位置から開位置まで移動できるようにガイドするガイド部材を前記アーム部材と前記ディスクトレイに形成し、前記係合突起部が前記シャッタ部の閉位置にある際に、前記アーム部材の一端が前記ディスクトレイの後端部より突出するように前記アーム部材を形成し、前記ディスクトレイが摺動することにより当該突出したアーム部材の一端と当接する当接部材を形成することにより、前記ディスクトレイの進退動作に応じて、前記アーム部材が動作し、前記係合突起部が、前記シャッタ部の閉位置と開位置の間を移動するように構成したことを特徴とするディスク装置によれば、カートリッジのシャッタを開閉させるための機構が、アーム部材と、ガイド部材と、当接部材のみによって構成されるため、機構が簡略化され、装置の薄型化を図ることが可能となる。すなわち、アーム部材とガイド部材は、ディスクトレイ上に取り付け若しくは形成される部材であり、当接部材はフレームの内壁面などに形成することができる（場合によってはフレーム内壁面そのものであってよい）ため、天板部分にガイド溝などの部材を形成する必要が無く、その分装置の薄型化を図ることが可能となるのである。
【００１６】
本発明の請求項２の、前記ディスクトレイに、前記係合突起部を遊嵌させるための長孔であって、当該係合突起部が、前記係合部と係合した状態で前記シャッタ部の閉位置から開位置まで移動できるようにするガイド穴となる長孔を形成することにより、前記係合突起部と前記長孔とによって前記ガイド部材を形成したことを特徴とする請求項１記載のディスク装置によれば、係合突起部と、アーム部材に形成されるガイド部材と、が同一の部材となるため、より“カートリッジのシャッタを開閉させるための機構”を簡略化することができる。
【００１７】
本発明の請求項３の、前記アーム部材にガイド長孔を形成し、当該ガイド長孔に遊嵌させるアーム嵌合部材を前記ディスクトレイに形成し、前記係合突起部を前記シャッタ部の閉位置方向へと付勢させる弾性部材を備えさせ、前記当接部材を前記フレームの背面側壁面としたことを特徴とする請求項１又は請求項２に記載のディスク装置によれば、アーム部材にガイド長孔を形成して、これをディスクトレイ上のアーム嵌合部材に遊嵌することで、アーム部材の移動方向を制限（係合突起部が、カートリッジのシャッタ部の閉位置と開位置の間を移動するように）しているため、係合突起部の動作（シャッタ部の開閉動作）をより確実なものとすることができる。また、“当接部材”をフレームの背面側壁面そのものによって代用することができるため、“カートリッジのシャッタを開閉させるための機構”が、実質的に、ディスクトレイ上にのみ構成される。従って、その他の部品の汎用性が高まる（例えば、天板にガイド溝を必要とする構成である場合には、当該ガイド溝が形成された天板の汎用性が低下するが、本発明によればそのようなことはない）ことなどによりコスト（部品の設計・製造・管理コストなど）の低減も図られる。
【００１８】
本発明の請求項４の、前記アーム部材を、前記ディスクトレイの底面側に取り付けたことを特徴とする請求項１乃至請求項３の何れか１つに記載のディスク装置によれば、カートリッジのシャッタ部を開閉させるための機構であるアーム部材が、ディスクトレイの底面側に取り付けられるため、より装置の薄型化を図ることが可能となる。即ち、ディスクトレイの底面側には、ピックアップユニットなどが収められる空間があり、当該空間の有余部分を活用することで、装置の大型化を抑止しつつ“カートリッジのシャッタを開閉させるための機構”を構成することができるのである。
【発明を実施するための最良の形態】
【００１９】
以下、本発明の具体的実施例について、図面を参照しながら説明する。なお、以下の実施態様は、本発明を具体化する際の一形態であって、本発明をその範囲内に限定するためのものではない。
【実施例１】
【００２０】
図１は本実施例のディスク装置の外観の概略を示す斜視図であり、図２は同ディスク装置のクランパ部分を取り外した状態の斜視図である。
【００２１】
ディスク装置１は、ディスク装置の外枠を構成する全体が概ね樹脂製のフレーム１１（両側壁面と背壁面を備える）と、フレーム１１に対して摺動可能に設けられたディスクトレイ１２と、ディスク媒体２を挟持するためのクランパ１５と、クランパ１５を保持するための梁部１４などが備えられる。また、特に図示はしないが、ディスク装置１には、フレーム１１内に取り付けられるピックアップユニットや、当該ピックアップユニットをディスク媒体２の半径方向に移動させるピックアップユニット移動機構、ターンテーブル、ターンテーブルを回転させるスピンドルモータなどが備えられる。
【００２２】
図３は、カートリッジ３の概略を示した図である。図に示されるように、カートリッジ３は、ディスク媒体２の一部を露出させる窓部３１と当該窓部３１を開閉させるシャッタ部３２とを備え、シャッタ部３２には、シャッタ部３２を開閉させるための係合部３２１が形成される。なお、シャッタ部３２は、バネ部材などによって窓部３１が閉まる方向へと付勢されている。
【００２３】
図４及び図５は、ディスクトレイ１２の概略を示す図である。アーム部材１３には、カートリッジ３のシャッタ部３２を開閉させるためにシャッタ部３２に形成された係合部３２１と係合させる係合突起部１３１と、ガイド長孔１３２とが形成される。
【００２４】
ディスクトレイ１２には、アーム部材１３の係合突起部１３１が、カートリッジ３の係合部３２１と係合した状態で、“閉位置”（カートリッジ３のシャッタ部３２が閉じている状態における係合突起部１３１の位置）から“開位置”（カートリッジ３のシャッタ部３２が開いている状態における係合突起部１３１の位置）まで移動できるようにするガイド穴となる長孔１２３と、アーム部材１３に形成されたガイド長孔１３２と遊嵌させるアーム嵌合部材１２４と、ディスク媒体２を内部に収納しているカートリッジ３を載置するためのカートリッジ載置凹部１２１などが形成される。なお、本実施例のディスク装置１は、ディスクトレイ１２にディスク媒体２自体を載置するためのディスク載置凹部１２２が形成され、カートリッジ３に収納された状態及びディスク媒体２のみの状態の双方の記録／再生処理を行えるものである。
【００２５】
アーム部材１３は、係合突起部１３１が長孔１２３に挿通（遊嵌）されると共に、先端がフック状に形成されたアーム嵌合部材１２４（ディスクトレイの底面側に形成されている）にガイド長孔１３２が遊嵌されることによって、ディスクトレイ１２の底面側に取り付けられ、保持される。また、アーム部材１３及びディスクトレイ１２にはバネ１７を取り付けるための係合突起１７１が形成され、バネ１７が取り付けられることにより、係合突起部１３１が“閉位置”方向へと付勢される。
【００２６】
図５は、ディスクトレイ１２の底面図であり、（ａ）：係合突起部１３１が“閉位置”にある場合、（ｂ）：係合突起部１３１が“開位置”にある場合をそれぞれ示す図である。図に示されるように、アーム嵌合部材１２４が、幅方向（図中のＸ方向）の変位において、係合突起部１３１の“閉位置”よりも側面側（Ｘ方向におけるディスクトレイ１２の外側）となるように形成されることにより、アーム部材１３は、ディスクトレイ１２の奥行方向（図中のＹ方向）に対して傾斜してディスクトレイ１２に取り付けられる。また、アーム部材１３は、“閉位置”にある場合において、アーム部材１３の一端（係合突起部１３１が形成される端とは逆の端）がディスクトレイ１２の後端部より突出するように（ディスクトレイ１２が装置内に搬入される際に、当該突出部分がフレーム１１の背面側壁面１１１に当接し、ディスクトレイ１２が装置内に完全に搬入された状態において係合突起部１３１が“開位置”となるように）形成される。
【００２７】
上記構成から明らかなように（図２及び図５に示されるように）、ディスク装置１は、ディスクトレイ１２の搬入の際に、ディスクトレイ１２に取り付けられるアーム部材１３が、ディスクトレイ１２が後退（搬入）することによりフレーム１１の背面側壁面１１１に当接し、これにより係合突起部１３１が“閉位置”から“開位置”へと移動するため、カートリッジ３の係合部３２１と係合する係合突起部１３１によってカートリッジ３のシャッタ部３２の開閉動作が行われる。
【００２８】
以上のごとく、本実施例のディスク装置１によれば、基本的にディスクトレイ１２上に取り付け若しくは構成した部材のみによって、カートリッジ３のシャッタ部３２を開閉させるための機構を構成することができるため、機構が簡略化され、装置の薄型化を図ることが可能となる（天板部分にガイド溝などの部材を形成する必要がないため）。また、天板部分にガイド溝を形成しなければならない場合には、当然に天板が必要となるが、本実施例によれば、図１に示されように、天板を設けないような構成（クランパ１５を保持するための梁部１４のみ）とすることも可能であり、設計の自由度が高まる。加えて、“カートリッジ３のシャッタ部３２を開閉させるための機構”の部品点数が少なく（長孔１２３・アーム嵌合部材１２４・係合突起１７１は、ディスクトレイ１２と一体成形されるものであり、新たな部品は、アーム部材１３とバネ１７のみ）、組立作業の作業性にも優れるため、製造コストの低減が図られる。また、“カートリッジ３のシャッタ部３２を開閉させるための機構”のために新たに形成される部材が、ディスクトレイ１２上にのみ構成されるため、ディスクトレイ１２（もともとディスクトレイ１２は、カートリッジを載置できるようにカートリッジ載置凹部１２１が形成されるカートリッジタイプ専用の部品となるものである）以外の部品の汎用性が高まり（カートリッジタイプ以外にも使用可能）、部品の設計・製造・管理コストを低減させることが可能となる。
【００２９】
なお、本実施例では、アーム部材１３をディスクトレイ１２の底面側に取り付けるものとしたが、図７にその一例を示したようにアーム部材をディスクトレイの上面側に取り付けるものであっても構わない。この場合、係合突起部と長孔１２３に遊嵌するための部材を別部材とする必要があり、図６に示したようなアーム部材６０を用い、長孔１２３に突起６２を遊嵌し、係合突起部６１によってシャッタ部３２の開閉を行う。なお、この場合、長孔１２３と突起６２によって「ガイド部材」が形成されることとなる。また、図７のようにアーム部材６０をディスクトレイの上面側に取り付けた場合には、長孔１２３は必ずしも貫通孔である必要は無く（係合突起部をディスクトレイの底面側から上面側へと挿通させる必要が無いため）、「ガイド部材」を、長孔１２３ではなく、ガイド溝とこれに嵌る突起などによって構成しても良い。
【００３０】
加えて、本実施例では、アーム部材１３にガイド長孔１３２を設け、ディスクトレイ１２のアーム嵌合部材１２４に遊嵌させることにより、アーム部材１３が背面側壁面１１１に当接することにより生じる力が、係合突起部１３１を“閉位置”から“開位置”へと移動させる方向に確実に伝わるようにしているが、本発明をこれに限るというものではなく、例えば、図８にその一例の概略を示したように、ガイド長孔１３２やアーム嵌合部材１２４を形成せずに、フレーム１１の背面側となる部分に当接部材８１を形成することにより、係合突起部６１を“閉位置”から“開位置”へと有効に移動させるような構成としてもよい。なお、図８においてアーム部材８２を長く形成することにより、フレーム１１の側壁面を利用し（フレーム１１の背面側壁面と側壁面とを“当接部材”とさせることで）、当接部材８１を不要とさせることも可能である。ただし、この場合、装置の奥行方向の寸法がやや増大する場合がある。
【図面の簡単な説明】
【００３１】
【図１】ディスク装置の外観の概略を示す斜視図
【図２】ディスク装置のクランパ部分を取り外した状態の外観の概略を示す斜視図であり、（ａ）：ディスクトレイ搬入／搬出途中を示す図、（ｂ）：ディスクトレイが搬入された状態を示す図
【図３】カートリッジ３の概略を示した図であり、（ａ）：斜視図、（ｂ）：平面図、（ｃ）：シャッタ部が開いた状態の平面図
【図４】ディスクトレイの概略を示す図であり、（ａ）：平面図、（ｂ）：側面図
【図５】ディスクトレイの概略を示す図であり、（ａ）：シャッタ部が“閉位置”となる場合の底面図、（ｂ）：シャッタ部が“開位置”となる場合の底面図
【図６】別のアーム部材を示す斜視図
【図７】別のディスクトレイの概略を示す平面図
【図８】別のディスクトレイの概略を説明する図であり、（ａ）：シャッタ部が“閉位置”となる場合の平面図、（ｂ）：シャッタ部が“開位置”となる場合の平面図
【符号の説明】
【００３２】
１      ディスク装置
２      ディスク媒体
３      カートリッジ
１１    フレーム
１２    ディスクトレイ
１３    アーム部材
１７    バネ（弾性部材）
３１    窓部
３２    シャッタ部
６２    突起（ガイド部材）
８１    当接部材
１１１  フレーム背面側壁面（当接部材）
１２１  カートリッジ載置凹部
１２３  長孔（ガイド部材）
１２４  アーム嵌合部材
１３１  係合突起部
１３２  ガイド長孔
３２１  係合部
【図１】
2007087544.tif 000003
【図２】
2007087544.tif 000004
【図３】
2007087544.tif 000005
【図４】
2007087544.tif 000006
【図５】
2007087544.tif 000007
【図６】
2007087544.tif 000008
【図７】
2007087544.tif 000009
【図８】
2007087544.tif 000010